(57)【要約】【課題】金属加工用各種金型製造時のスライドコアピン穴、位置決めピン穴、自動制御装置や専用機器、治工具類など位置決めや精度比較測定時にピンゲージ本体のラインが磨耗によって、ピンゲージの交換時期を高精度維持の見極め確認ができる磨耗確認ライン付ピンゲージ等を提供する。【解決手段】断面が円形状にして、且所定長さの工具鋼等のピンゲージ本体ａの端部１、２から外周部３の中央部４にかけて延設する所定長さの磨耗確認ライン５を設ける。また、前記磨耗確認ライン５は、前記ピンゲージ本体ａの左右両端部１，２から外周部３の中央部４にかけて設ける。【選択図】    図１
2013002827.tif 000002
【特許請求の範囲】
【請求項１】
断面が円形状にして、且所定長さの工具鋼等のピンゲージ本体の端部から外周部の中央部にかけて延設する所定長さの磨耗確認ラインを設けることを特徴とする磨耗確認ライン付ピンゲージ。
【請求項２】
前記磨耗確認ラインは、前記ピンゲージ本体の左右両端部から外周部の中央部にかけて設けることを特徴とする請求項１に記載の磨耗確認ライン付ピンゲージ。
【請求項３】
前記磨耗確認ラインは、直線状とすることを特徴とする請求項１又は２に記載の磨耗確認ライン付ピンゲージ。
【請求項４】
前記磨耗確認ラインは、外径より平均約０．３μｍ深さにして、且約１０ｍｍ長さで印字されることを特徴とする請求項１又は同２又は同３に記載の磨耗確認ライン付ピンゲージ。
【請求項５】
工具鋼を使用ゲージ長さで切断してピンゲージ本体を形成する切断工程と、前記切断工程で形成されたピンゲージ本体の切断端面長さ決め研磨仕上げを施す研磨仕上げ工程と、前記研磨仕上げ工程後熱処理加工、サブゼロ処理（経年変化補整）の加工処理工程と、前記加工処理工程後外径荒加工研削加工処理を施し、前記荒加工研削加工処理工程後外径中仕上げ加工研削加工処理を施し、前記加工研削加工処理工程後、コーナー面取り加工を施し、前記面取り加工処理工程後、外径本仕上げ加工研削加工外径精度出しを行い、前記外径精度出し後、外径鏡面ラッピング加工を施し、前記ラッピング加工後、合格品のラインと寸法サイズ印字処理を施すことを特徴とする磨耗確認ライン付ピンゲージの製造法。
【発明の詳細な説明】
【技術分野】
【０００１】
本発明は、磨耗確認ライン付ピンゲージ及び製造法の分野に関するものである。
【背景技術】
【０００２】
従来、工作機械等によって穿孔した測定器具として、特開平８−３０４００１公開特許公報（ピンゲージ）が開示されている。
【０００３】
この公開特許公報の図１、２に図示されているピンゲージの外周部には、ピンゲージの測定頻度によって磨耗が発生し、ゲージとしての品質維持ができない。
【０００４】
さらに、従来工作物の穴径測定や穴の芯間測定等の精密度測定に用いられるピンゲージとして、実公平６−３７２８１実用新案公報が開示されており、このピンゲージは、ピン状体の外径精度を保証して製作されたものであって、上記ピン状体の表面に外径精度が保証されている特定領域を限定して表示する精度保証表示部を設けるのみである。
【０００５】
そのため、前記ピンゲージは、ピン状体の挿入端部から磨耗が発生しゲージとしての品質維持とメンテナンスラインの見極め確認が直接できにくい弊害があった。
【先行技術文献】
【特許文献】
【０００６】
【特許文献１】特開平８−３０４００号特許公報
【特許文献２】実公平６−３７２８１号実用新案公報
【発明の概要】
【発明が解決しようとする課題】
【０００７】
しかるに、前記した従来開示の特開平８−３０４００号特許公報のピンゲージは、工作機械などで穿孔した穴に挿入し、該穴の径などの測定を行うピンゲージにおいて、穴に挿入する側の先端から後端にかけて連通する空気抜き通路を設けると共に、前記空気抜き通路をピンゲージの軸芯上に沿って設けた構成のピンゲージである。
【０００８】
この公開特許公報のピンゲージは、ピンゲージの端部は、穿孔した穴への挿入による測定によって発生する磨耗度が不鮮明であって、ゲージとしての品質維持ができにくい点が指摘される。
【０００９】
さらに、従来開示の実公平６−３７２８１号実用新案公報のピンゲージは、ピン状体の外径精度を保証して製作されたものであって、上記ピン状体の表面に上記外径精度が保証されている特定領域を限定して表示する精度保証表示部を設けて構成したものである。
【００１０】
この実用新案公報のピンゲージは、ピンゲージを構成するピン状体の表面に外径制度が保証されている特定領域を限定して表示する表示部を設けたものであって、前記ピン状体の端部から外周部の中央部にかけてライン部を設けたものではない。
【００１１】
しかるに、本発明が解決しようとする課題は以下のとおりである。
【００１２】
第1に、本発明は、ピンゲージ本体の端部から外周部の中央部にかけて延設する所定長さの磨耗確認ラインを形成することによって、金属加工用各種金型製造時のスライドコアピン穴、位置決めピン穴、自動制御装置や専用機器、治工具類など位置決めや精度比較測定時にピンゲージ本体のラインが磨耗によって、ピンゲージの交換時期を高精度維持の見極め確認ができる。
【００１３】
第２に、本発明は、前記ピンゲージ本体の端部から外周部の中央部にかけて磨耗確認ラインを高精度を維持しつつ確実且迅速に製造することができるようにした。
【課題を解決するための手段】
【００１４】
課題を解決するための手段として、請求項１に記載の発明は、断面が円形状にして、且所定長さの工具鋼等のピンゲージ本体ａの端部１、２から外周部３の中央部４にかけて延設する所定長さの磨耗確認ライン５を設けることを特徴とする磨耗確認ライン付ピンゲージである。
【００１５】
課題を解決するための手段として、請求項２に記載の発明は、前記磨耗確認ライン５は、前記ピンゲージ本体ａの左右両端部１，２から外周部３の中央部４にかけて設けることを特徴とする請求項１に記載の磨耗確認ライン付ピンゲージである。
【００１６】
課題を解決するための手段として、請求項３に記載の発明は、前記磨耗確認ライン５は、直線状とすることを特徴とする請求項１又は２に記載の磨耗確認ライン付ピンゲージである。
【００１７】
課題を解決するための手段として、請求項４に記載の発明は、前記磨耗確認ライン５は、外径より平均約０．３μｍ深さにして、且約１０ｍｍ長さで印字されることを特徴とする請求項１又は同２又は同３に記載の磨耗確認ライン付ピンゲージ。
【００１８】
課題を解決するための手段として、請求項５に記載の発明は、工具鋼を使用ゲージ長さで切断してピンゲージ本体ａを形成する切断工程と、前記切断工程で形成されたピンゲージ本体ａの切断端面長さ決め研磨仕上げを施す研磨仕上げ工程と、前記研磨仕上げ工程後熱処理加工、サブゼロ処理（経年変化補整）の加工処理工程と、前記加工処理工程後外径荒加工研削加工処理を施し、前記荒加工研削加工処理工程後外径中仕上げ加工研削加工処理を施し、前記加工研削加工処理工程後、コーナー面取り加工を施し、前記面取り加工処理工程後、外径本仕上げ加工研削加工外径精度出しを行い、前記外径精度出し後、外径鏡面ラッピング加工を施し、前記ラッピング加工後、合格品のラインと寸法サイズ印字処理を施すことを特徴とする磨耗確認ライン付ピンゲージの製造法である。
【発明の効果】
【００１９】
請求項１記載の発明は、断面が円形状にして、且所定長さの工具鋼等のピンゲージ本体の端部から外周部の中央部にかけて延設する所定長さの磨耗確認ラインを設けることを特徴とする磨耗確認ライン付ピンゲージなので、前記磨耗確認ラインの磨耗が確認でき、高精度維持の見極め確認が直接可能となった。
【００２０】
さらに、本発明は、前記のとおりなので、前記ラインでゲージの交換時期を測定ユーザーにお知らせできる利点がある。
【００２１】
請求項２記載の発明は、前記磨耗確認ラインは、前記ピンゲージ本体の左右両端部から外周部の中央部にかけて設けることを特徴とする請求項１に記載の磨耗確認ライン付ピンゲージなので、請求項１に記載の発明の効果と同じ効果を有する。
【００２２】
請求項３記載の発明は、前記磨耗確認ラインは、直線状とすることを特徴とする請求項１又は２に記載の磨耗確認ライン付ピンゲージなので、前記請求項１に記載の発明と同じ効果を有している。
【００２３】
請求項４記載の発明は、前記磨耗確認ラインは、外径より平均約０．３μｍ深さにして、且約１０ｍｍ長さで印字されることを特徴とする請求項１又は同２又は同３に記載の磨耗確認ライン付ピンゲージなので、前記請求項１に記載の発明と同じ効果を有している。
【００２４】
請求項５に記載の発明は、工具鋼を使用ゲージ長さで切断してピンゲージ本体を形成する切断工程と、前記切断工程で形成されたピンゲージ本体の切断端面長さ決め研磨仕上げを施す研磨仕上げ工程と、前記研磨仕上げ工程後熱処理加工、サブゼロ処理（経年変化補整）の加工処理工程と、前記加工処理工程後外径荒加工研削加工処理を施し、前記荒加工研削加工処理工程後外径中仕上げ加工研削加工処理を施し、前記加工研削加工処理工程後、コーナー面取り加工を施し、前記面取り加工処理工程後、外径本仕上げ加工研削加工外径精度出しを行い、前記外径精度出し後、外径鏡面ラッピング加工を施し、前記ラッピング加工後、合格品のラインと寸法サイズ印字処理を施すことを特徴とする磨耗確認ライン付ピンゲージの製造法なので、前記ラインが磨耗することによって直径精度の磨耗確認が簡単且確実に高精度の品質管理を直接行うことが可能なピンゲージを製造することができる。
【図面の簡単な説明】
【００２５】
【図１】本発明磨耗確認ライン付ピンゲージ及び製造法によって形成のピンゲージの正面図である。
【００２６】
【図２】図１のピンゲージの斜視図である。
【００２７】
【図３】図２におけるＡ−Ａ線縦断面図である。
【００２８】
【図４】図２におけるＢ−Ｂ線縦断面図である。
【００２９】
【図５】同ピンゲージを工作物の穿孔に挿入した状態の縦断面図である。
【００３０】
【図６】同ピンゲージの製造工程において使用される電解マーキング装置の斜視図である。
【発明を実施するための最良の形態】
【００３１】
本発明の請求項１〜５に記載の発明の実施の形態は、共通しているので以下のとおり一括して説明する。
【００３２】
ａは断面が円形状にして、且所定長さの工具鋼等のピンゲージ本体である。
【００３３】
前記ピンゲージ本体ａの長さは、従来市販されていた各種寸法と同じである。さらに、直径についても従来市販のものと同種であり、本発明において特に限定した寸法ではない。
【００３４】
１、２は前記ピンゲージ本体ａの左端部と右端部を示すものである。
【００３５】
３は前記ピンゲージ本体ａの外周部、４は同じくゲージ本体ａの外周部３の中央部である。
【００３６】
５は前記ピンゲージ本体ａの左端部１及び右端部２の角部から外周部３の中央部４にかけて、所定の長さ、例えば約１０ｍｍ（限定しない）の直線状磨耗確認ライン５を後述するマーキング処理を施し設ける。
【００３７】
前記磨耗確認ライン５は、外周部３の外径より平均約０．３μｍで印字される。
【００３８】
さらに本発明の磨耗確認ライン付ピンゲージは以下の工程によって製造される。
【００３９】
本発明の第１工程は、工具鋼をピンゲージ本体ａの長さで切断する。前記切断は、従来の手法と同じである。
【００４０】
さらに、本発明の第２工程は、前記第１工程によって形成されたピンゲージ本体ａの切断端面の長さ決め研磨仕上げ処理をする。
【００４１】
第３工程は、前記第２工程処理後、熱処理加工、サブゼロ処理（経年変化補整）を施す。
【００４２】
前記処理工程について説明すると以下のとおりである。
【００４３】
サブゼロ処理概略説明について。
【００４４】
概略説明について。
深冷処理とも言われており、一般的には焼入れ処理した鋼を、焼きもどし処理をする前に、マイナス７３℃以下の低温下で保持し、鋼の組織を安定させるために行なう熱処理の一つである。
【００４５】
詳細説明について。
【００４６】
焼き入れ焼き戻し後にマイナス８０℃以下に冷却することを、サブゼロ処理と言っている。
【００４７】
この処理をすることにより、経年変化を防止することができ、高精度を要求されるゲージ類には広く採用されている。
【００４８】
ピンゲージに採用されている特殊鋼は、一般に８００℃以上に加熱し、オーステナイト組織とした後、（水または）油中に入れて急冷させ、マルテンサイト組織にする。
【００４９】
これにより、硬度はＨＶ８００（ビッカース硬度  ８００）または、ＨＲＣ６４（ロックウェル硬度  Ｃスケール）以上に向上する。
【００５０】
この急冷により、マルテンサイト化されるが、１００％変態させることは不可能であり、１０〜２０％はオーステナイトのまま残り、これを残留オーステナイトと呼んでいる。
【００５１】
この残留オーステナイトは、常温に放置しておくと、次第に分解してマルテンサイトに変態し、この時容積も膨張するため、ピンゲージの生命である直径が次第に大きくなり、この現象を経年変化と呼んでいる。
【００５２】
この、経年変化を防止するため、寸法の安定処理を施す必要がある。
【００５３】
この処理の方法の一つとして一般のゲージについては、１５０℃〜２００℃の条件で２４時間以上加熱する焼き戻し法が採用されている。
【００５４】
しかし、ブロックゲージや高精度を要求されるゲージ類には、この焼き戻し法に加えて、マイナス８０℃以下に冷却するサブゼロ法が併用され、この両処理法を交互に繰返すことにより、人工的に残留オーステナイトをマルテンサイト化させる効果的な寸法の安定処理法として採用されている。
【００５５】
第４工程として、ゲージ本体ａの外径荒加工研削加工を前記第３工程処理後処理する。
【００５６】
第５工程として、前記４工程処理後外径中仕上げ加工研削加工処理を施す。
【００５７】
第６工程として、前記第５工程の処理後、コーナー面取加工処理をする。
【００５８】
第７工程として、第６工程処理後、外径本仕上げ加工研削加工外径精度出しを行う。
【００５９】
第８工程として、第７工程処理後、外径鏡面ラッピング加工を施す。
【００６０】
第９工程として、第８工程処理後、合格品のライン５と寸法サイズ印字６処理をする。
【００６１】
次に第９工程のライン５と寸法サイズ印字６処理工程について説明する。
【００６２】
本発明のピンゲージ本体ａの外周部３に磨耗確認ライン５と寸法サイズの印字６処理は、図６に図示する電解（電気マーキング）マーキングにより行うものである。
【００６３】
電源制御ボックスで通電電流をコントロールする装置を使用し、均等な電解エッチング（腐食）マーキングを行うものである。すなわち、電解液を含ませたカーボンフィルタの上部に、マーキングしたい模様の部分が抜けた（電解液がしみ出す）グリーン色のステンシルを、マイナス電極ベース上にセットし、ピンゲージ本体ａをプラス電極ハンドルで挟み込み、通電出来る状態でピンゲージ本体ａを回転し、ステンシルの上面を進むことで両側面のライン５と中央部のサイズ数値の位置で電流が通電し表面エッチングにより、平均０３μｍ表面を（凹）腐食させ黒色に変色しマーキングが施される。
【００６４】
以上が本発明のピンゲージ本体ａのライン５と寸法サイズ印字６処理工程の説明である。
【００６５】
上記のように形成されたピンゲージは、測定する工作物７の穴８に挿入し比較測定を行なう作業で常に擦り合う計測方法であり、頻度が高くなるにつれ、挿入端部から磨耗が発生し、ゲージとしての品質維持が出来ない。
【００６６】
そこで前記ピンゲージ本体ａの端部１、２から中央に向けて両端約１０ｍｍ長さの磨耗確認用メンテナンスライン５をマーキングすることにより、ライン５の磨耗が確認でき、高精度維持の見極め確認が直接可能となる。
【００６７】
前記のとおり、ピンゲージは、金属加工用各種金型製造時のスライドコアピン穴、位置決めピン穴、自動制御装置や専用機器、治工具類などの位置決めや精度比較測定に使用されているが、金型材料、各種装置部品には焼入れ処理が施されているため、測定頻度によっては挿入端面部より磨耗が発生する。
【００６８】
そこで端面よりライン５を印字し、外径より平均約０．３μｍ深さで印字されることを活用し、このライン５が磨耗することで、直径精度の磨耗確認が簡単なおかつ即座に高精度の品質確認を自ら行うことが可能となった。
【００６９】
前記ライン５の磨耗が確認できた時点で、直径で約０．６〜０．８μｍ以上の磨耗により径精度を保証できない目安を直接判断できるメンテナンスライン（ゲージ交換時期）で測定ユーザーにお知らせできるピンゲージである。
【符号の説明】
【００７０】
ａ        ピンゲージ本体
１        端部  
２        端部
３        外周部
４        中央部
５        磨耗確認ライン
６        文字
７        工作物
８        穴        
【図１】
2013002827.tif 000003
【図２】
2013002827.tif 000004
【図３】
2013002827.tif 000005
【図４】
2013002827.tif 000006
【図５】
2013002827.tif 000007
【図６】
2013002827.tif 000008
【手続補正書】
【提出日】平成24年5月23日(2012.5.23)
【手続補正１】
【補正対象書類名】特許請求の範囲
【補正対象項目名】全文
【補正方法】変更
【補正の内容】
【特許請求の範囲】
【請求項１】
断面が円形状にして、且所定長さの工具鋼のピンゲージ本体の端部から外周部の中央部にかけて延設する所定長さの磨耗確認ラインを設け、前記磨耗確認ラインは、前記ピンゲージ本体の左右両端部から外周部の中央部にかけて設け、  前記磨耗確認ラインは、直線状とすると共に、前記磨耗確認ラインは、外径より平均約０．３μｍ深さにして、且約１０ｍｍ長さで印字されることを特徴とする磨耗確認ライン付ピンゲージ。
【請求項２】
工具鋼を使用ゲージ長さで切断してピンゲージ本体を形成する切断工程と、前記切断工程で形成されたピンゲージ本体の切断端面長さ決め研磨仕上げを施す研磨仕上げ工程と、前記研磨仕上げ工程後熱処理加工、サブゼロ処理（経年変化補整）の加工処理工程と、前記熱処理加工、サブゼロ処理（経年変化補整）の加工処理工程後外径荒加工研削加工処理工程を施し、前記外径荒加工研削加工処理工程後外径中仕上げ加工研削加工処理工程を施し、前記外径中仕上げ加工研削加工処理工程後、コーナー面取り加工工程を施し、前記コーナー面取り加工処理工程後、外径本仕上げ加工研削加工外径精度出しを行い、前記外形本仕上げ加工研削加工外径精度出し後、外径鏡面ラッピング加工工程を施し、前記外径鏡面ラッピング加工工程後、磨耗確認ラインと寸法サイズ印字処理を施すことを特徴とし、さらに、前記磨耗確認ラインは、外径より平均約０．３μｍ深さにして、且約１０ｍｍ長さで印字されることを特徴とする磨耗確認ライン付ピンゲージの製造法。
【手続補正２】
【補正対象書類名】明細書
【補正対象項目名】全文
【補正方法】変更
【補正の内容】
【発明の詳細な説明】
【技術分野】
【０００１】
本発明は、磨耗確認ライン付ピンゲージ及び製造法の分野に関するものである。
【背景技術】
【０００２】
従来、工作機械等によって穿孔した測定器具として、特開平８−３０４００１公開特許公報（ピンゲージ）が開示されている。
【０００３】
この公開特許公報の図１、２に図示されているピンゲージの外周部には、ピンゲージの測定頻度によって磨耗が発生し、ゲージとしての品質維持ができない。
【０００４】
さらに、従来工作物の穴径測定や穴の芯間測定等の精密度測定に用いられるピンゲージとして、実公平６−３７２８１実用新案公報が開示されており、このピンゲージは、ピン状体の外径精度を保証して製作されたものであって、上記ピン状体の表面に外径精度が保証されている特定領域を限定して表示する精度保証表示部を設けるのみである。
【０００５】
そのため、前記ピンゲージは、ピン状体の挿入端部から磨耗が発生しゲージとしての品質維持とメンテナンスラインの見極め確認が直接できにくい弊害があった。
【先行技術文献】
【特許文献】
【０００６】
【特許文献１】特開平８−３０４００号特許公報
【特許文献２】実公平６−３７２８１号実用新案公報
【発明の概要】
【発明が解決しようとする課題】
【０００７】
しかるに、前記した従来開示の特開平８−３０４００号特許公報のピンゲージは、工作機械などで穿孔した穴に挿入し、該穴の径などの測定を行うピンゲージにおいて、穴に挿入する側の先端から後端にかけて連通する空気抜き通路を設けると共に、前記空気抜き通路をピンゲージの軸芯上に沿って設けた構成のピンゲージである。
【０００８】
この公開特許公報のピンゲージは、ピンゲージの端部は、穿孔した穴への挿入による測定によって発生する磨耗度が不鮮明であって、ゲージとしての品質維持ができにくい点が指摘される。
【０００９】
さらに、従来開示の実公平６−３７２８１号実用新案公報のピンゲージは、ピン状体の外径精度を保証して製作されたものであって、上記ピン状体の表面に上記外径精度が保証されている特定領域を限定して表示する精度保証表示部を設けて構成したものである。
【００１０】
この実用新案公報のピンゲージは、ピンゲージを構成するピン状体の表面に外径制度が保証されている特定領域を限定して表示する表示部を設けたものであって、前記ピン状体の端部から外周部の中央部にかけてライン部を設けたものではない。
【００１１】
しかるに、本発明が解決しようとする課題は以下のとおりである。
【００１２】
第1に、本発明は、ピンゲージ本体の端部から外周部の中央部にかけて延設する所定長さの磨耗確認ラインを形成することによって、金属加工用各種金型製造時のスライドコアピン穴、位置決めピン穴、自動制御装置や専用機器、治工具類など位置決めや精度比較測定時にピンゲージ本体のラインが磨耗によって、ピンゲージの交換時期を高精度維持の見極め確認ができる。
【００１３】
第２に、本発明は、前記ピンゲージ本体の端部から外周部の中央部にかけて磨耗確認ラインを高精度を維持しつつ確実且迅速に製造することができるようにした。
【課題を解決するための手段】
【００１４】
課題を解決するための手段として、請求項１に記載の発明は、断面が円形状にして、且所定長さの工具鋼のピンゲージ本体の端部から外周部の中央部にかけて延設する所定長さの磨耗確認ラインを設け、前記磨耗確認ラインは、前記ピンゲージ本体の左右両端部から外周部の中央部にかけて設け、  前記磨耗確認ラインは、直線状とすると共に、前記磨耗確認ラインは、外径より平均約０．３μｍ深さにして、且約１０ｍｍ長さで印字されることを特徴とする磨耗確認ライン付ピンゲージである。
【００１５】
課題を解決するための手段として、請求項２に記載の発明は、工具鋼を使用ゲージ長さで切断してピンゲージ本体を形成する切断工程と、前記切断工程で形成されたピンゲージ本体の切断端面長さ決め研磨仕上げを施す研磨仕上げ工程と、前記研磨仕上げ工程後熱処理加工、サブゼロ処理（経年変化補整）の加工処理工程と、前記熱処理加工、サブゼロ処理（経年変化補整）の加工処理工程後外径荒加工研削加工処理工程を施し、前記外径荒加工研削加工処理工程後外径中仕上げ加工研削加工処理工程を施し、前記外径中仕上げ加工研削加工処理工程後、コーナー面取り加工工程を施し、前記コーナー面取り加工処理工程後、外径本仕上げ加工研削加工外径精度出しを行い、前記外形本仕上げ加工研削加工外径精度出し後、外径鏡面ラッピング加工工程を施し、前記外径鏡面ラッピング加工工程後、磨耗確認ラインと寸法サイズ印字処理を施すことを特徴とし、さらに、前記磨耗確認ラインは、外径より平均約０．３μｍ深さにして、且約１０ｍｍ長さで印字されることを特徴とする磨耗確認ライン付ピンゲージの製造法である。
【発明の効果】
【００１６】
請求項１記載の発明は、断面が円形状にして、且所定長さの工具鋼のピンゲージ本体の端部から外周部の中央部にかけて延設する所定長さの磨耗確認ラインを設け、前記磨耗確認ラインは、前記ピンゲージ本体の左右両端部から外周部の中央部にかけて設け、  前記磨耗確認ラインは、直線状とすると共に、前記磨耗確認ラインは、外径より平均約０．３μｍ深さにして、且約１０ｍｍ長さで印字されることを特徴とする磨耗確認ライン付ピンゲージなので、前記磨耗確認ラインの磨耗が確認でき、高精度維持の見極め確認が直接可能となった。
【００１７】
さらに、本発明は、前記のとおりなので、前記ラインでゲージの交換時期を測定ユーザーにお知らせできる利点がある。
【００１８】
請求項２に記載の発明は、工具鋼を使用ゲージ長さで切断してピンゲージ本体を形成する切断工程と、前記切断工程で形成されたピンゲージ本体の切断端面長さ決め研磨仕上げを施す研磨仕上げ工程と、前記研磨仕上げ工程後熱処理加工、サブゼロ処理（経年変化補整）の加工処理工程と、前記熱処理加工、サブゼロ処理（経年変化補整）の加工処理工程後外径荒加工研削加工処理工程を施し、前記外径荒加工研削加工処理工程後外径中仕上げ加工研削加工処理工程を施し、前記外径中仕上げ加工研削加工処理工程後、コーナー面取り加工工程を施し、前記コーナー面取り加工処理工程後、外径本仕上げ加工研削加工外径精度出しを行い、前記外形本仕上げ加工研削加工外径精度出し後、外径鏡面ラッピング加工工程を施し、前記外径鏡面ラッピング加工工程後、磨耗確認ラインと寸法サイズ印字処理を施すことを特徴とし、さらに、前記磨耗確認ラインは、外径より平均約０．３μｍ深さにして、且約１０ｍｍ長さで印字されることを特徴とする磨耗確認ライン付ピンゲージの製造法なので、前記ラインが磨耗することによって直径精度の磨耗確認が簡単且確実に高精度の品質管理を直接行うことが可能なピンゲージを製造することができる。
【図面の簡単な説明】
【００１９】
【図１】本発明磨耗確認ライン付ピンゲージ及び製造法によって形成のピンゲージの正面図である。
【００２０】
【図２】図１のピンゲージの斜視図である。
【００２１】
【図３】図２におけるＡ−Ａ線縦断面図である。
【００２２】
【図４】図２におけるＢ−Ｂ線縦断面図である。
【００２３】
【図５】同ピンゲージを工作物の穿孔に挿入した状態の縦断面図である。
【００２４】
【図６】同ピンゲージの製造工程において使用される電解マーキング装置の斜視図である。
【発明を実施するための最良の形態】
【００２５】
本発明の請求項１〜２に記載の発明の実施の形態は、共通しているので以下のとおり一括して説明する。
【００２６】
ａは断面が円形状にして、且所定長さの工具鋼等のピンゲージ本体である。
【００２７】
前記ピンゲージ本体ａの長さは、従来市販されていた各種寸法と同じである。さらに、直径についても従来市販のものと同種であり、本発明において特に限定した寸法ではない。
【００２８】
１、２は前記ピンゲージ本体ａの左端部と右端部を示すものである。
【００２９】
３は前記ピンゲージ本体ａの外周部、４は同じくゲージ本体ａの外周部３の中央部である。
【００３０】
５は前記ピンゲージ本体ａの左端部１及び右端部２の角部から外周部３の中央部４にかけて、所定の長さ、例えば約１０ｍｍ（限定しない）の直線状磨耗確認ライン５を後述するマーキング処理を施し設ける。
【００３１】
前記磨耗確認ライン５は、外周部３の外径より平均約０．３μｍで印字される。
【００３２】
さらに本発明の磨耗確認ライン付ピンゲージは以下の工程によって製造される。
【００３３】
本発明の第１工程は、工具鋼をピンゲージ本体ａの長さで切断する。前記切断は、従来の手法と同じである。
【００３４】
さらに、本発明の第２工程は、前記第１工程によって形成されたピンゲージ本体ａの切断端面の長さ決め研磨仕上げ処理をする。
【００３５】
第３工程は、前記第２工程処理後、熱処理加工、サブゼロ処理（経年変化補整）を施す。
【００３６】
前記処理工程について説明すると以下のとおりである。
【００３７】
サブゼロ処理概略説明について。
【００３８】
概略説明について。
深冷処理とも言われており、一般的には焼入れ処理した鋼を、焼きもどし処理をする前に、マイナス７３℃以下の低温下で保持し、鋼の組織を安定させるために行なう熱処理の一つである。
【００３９】
詳細説明について。
【００４０】
焼き入れ焼き戻し後にマイナス８０℃以下に冷却することを、サブゼロ処理と言っている。
【００４１】
この処理をすることにより、経年変化を防止することができ、高精度を要求されるゲージ類には広く採用されている。
【００４２】
ピンゲージに採用されている特殊鋼は、一般に８００℃以上に加熱し、オーステナイト組織とした後、（水または）油中に入れて急冷させ、マルテンサイト組織にする。
【００４３】
これにより、硬度はＨＶ８００（ビッカース硬度  ８００）または、ＨＲＣ６４（ロックウェル硬度  Ｃスケール）以上に向上する。
【００４４】
この急冷により、マルテンサイト化されるが、１００％変態させることは不可能であり、１０〜２０％はオーステナイトのまま残り、これを残留オーステナイトと呼んでいる。
【００４５】
この残留オーステナイトは、常温に放置しておくと、次第に分解してマルテンサイトに変態し、この時容積も膨張するため、ピンゲージの生命である直径が次第に大きくなり、この現象を経年変化と呼んでいる。
【００４６】
この、経年変化を防止するため、寸法の安定処理を施す必要がある。
【００４７】
この処理の方法の一つとして一般のゲージについては、１５０℃〜２００℃の条件で２４時間以上加熱する焼き戻し法が採用されている。
【００４８】
しかし、ブロックゲージや高精度を要求されるゲージ類には、この焼き戻し法に加えて、マイナス８０℃以下に冷却するサブゼロ法が併用され、この両処理法を交互に繰返すことにより、人工的に残留オーステナイトをマルテンサイト化させる効果的な寸法の安定処理法として採用されている。
【００４９】
第４工程として、ゲージ本体ａの外径荒加工研削加工を前記第３工程処理後処理する。
【００５０】
第５工程として、前記４工程処理後外径中仕上げ加工研削加工処理を施す。
【００５１】
第６工程として、前記第５工程の処理後、コーナー面取加工処理をする。
【００５２】
第７工程として、第６工程処理後、外径本仕上げ加工研削加工外径精度出しを行う。
【００５３】
第８工程として、第７工程処理後、外径鏡面ラッピング加工を施す。
【００５４】
第９工程として、第８工程処理後、合格品のライン５と寸法サイズ印字６処理をする。
【００５５】
次に第９工程のライン５と寸法サイズ印字６処理工程について説明する。
【００５６】
本発明のピンゲージ本体ａの外周部３に磨耗確認ライン５と寸法サイズの印字６処理は、図６に図示する電解（電気マーキング）マーキングにより行うものである。
【００５７】
電源制御ボックスで通電電流をコントロールする装置を使用し、均等な電解エッチング（腐食）マーキングを行うものである。すなわち、電解液を含ませたカーボンフィルタの上部に、マーキングしたい模様の部分が抜けた（電解液がしみ出す）グリーン色のステンシルを、マイナス電極ベース上にセットし、ピンゲージ本体ａをプラス電極ハンドルで挟み込み、通電出来る状態でピンゲージ本体ａを回転し、ステンシルの上面を進むことで両側面のライン５と中央部のサイズ数値の位置で電流が通電し表面エッチングにより、平均０３μｍ表面を（凹）腐食させ黒色に変色しマーキングが施される。
【００５８】
以上が本発明のピンゲージ本体ａのライン５と寸法サイズ印字６処理工程の説明である。
【００５９】
上記のように形成されたピンゲージは、測定する工作物７の穴８に挿入し比較測定を行なう作業で常に擦り合う計測方法であり、頻度が高くなるにつれ、挿入端部から磨耗が発生し、ゲージとしての品質維持が出来ない。
【００６０】
そこで前記ピンゲージ本体ａの端部１、２から中央に向けて両端約１０ｍｍ長さの磨耗確認用メンテナンスライン５をマーキングすることにより、ライン５の磨耗が確認でき、高精度維持の見極め確認が直接可能となる。
【００６１】
前記のとおり、ピンゲージは、金属加工用各種金型製造時のスライドコアピン穴、位置決めピン穴、自動制御装置や専用機器、治工具類などの位置決めや精度比較測定に使用されているが、金型材料、各種装置部品には焼入れ処理が施されているため、測定頻度によっては挿入端面部より磨耗が発生する。
【００６２】
そこで端面よりライン５を印字し、外径より平均約０．３μｍ深さで印字されることを活用し、このライン５が磨耗することで、直径精度の磨耗確認が簡単なおかつ即座に高精度の品質確認を自ら行うことが可能となった。
【００６３】
前記ライン５の磨耗が確認できた時点で、直径で約０．６〜０．８μｍ以上の磨耗により径精度を保証できない目安を直接判断できるメンテナンスライン（ゲージ交換時期）で測定ユーザーにお知らせできるピンゲージである。
【符号の説明】
【００６４】
ａ        ピンゲージ本体
１        端部  
２        端部
３        外周部
４        中央部
５        磨耗確認ライン
６        文字
７        工作物
８        穴